(57)【要約】【課題】改良式デンタルフロス棒の構造を提供する。【解決手段】  主に把持部１及び把持部１の先端と接続するデンタルフロス部２で構成する改良式デンタルフロス棒の構造である。該デンタルフロス部２は糸張部２０、糸張部２０の両端に形成する両端棒２１及び両端棒２１と接続するデンタルフロスを含む。両端棒２１は同じ側をアーチ型に彎曲し、前記把持部１と糸張部２０の間に旋削部３を形成することで、前記把持部１の上端の辺線１０と糸張部２０の頂面にある中心線２３が同じ直線状に位置する。該改良式デンタルフロス棒の構造は、主にデンタルフロス部の両端棒をアーチ型の形状に彎曲することにより、口腔の比較的奥にまで伸び、歯間の清掃をすることができ、且つ口を大きく開ける必要がないため、比較的快適に感じると共に、歯間にある食べ物のカスを清掃する目的に達する。【選択図】図１
0003206041.tif 000002
【実用新案登録請求の範囲】
【請求項１】
主に把持部及び把持部の先端と接続するデンタルフロス部を含み、
該デンタルフロス部は糸張部、糸張部の両端に形成する両端棒及び両端棒と接続するデンタルフロスを含み、その特徴とは：
前記両端棒は同じ側をアーチ型に彎曲し、前記把持部と前記糸張部の間に旋削部を形成することで、把持部の上端の辺線と糸張部の頂面にある中心線が同じ直線状に位置することを特徴とする改良式デンタルフロス棒の構造。
【請求項２】
前記デンタルフロスと把持部は同じ平面にあるが、同じ直線にはないことを特徴とする請求項１記載の改良式デンタルフロス棒の構造。
【請求項３】
前記把持部の二つの対応する側面上に滑止部を形成することを特徴とする請求項１記載の改良式デンタルフロス棒の構造。
【請求項４】
前記把持部の後端に歯を穿る部を形成し、歯を穿る部の上に軟質の材料で作られる凸ブロックを設置することを特徴とする請求項１記載の改良式デンタルフロス棒の構造。
【請求項５】
主に把持部及び把持部の先端と接続するデンタルフロス部を含み、
該デンタルフロス部は糸張部、糸張部の両端に形成する両端棒及び両端棒と接続するデンタルフロスを含み、その特徴とは：
前記両端棒は同じ側をアーチ型に彎曲し、前記把持部と前記糸張部の間に旋削部を形成することで、把持部の上端の辺線と糸張部の頂面にある中心線を延伸して一つの角度を呈することを特徴とする改良式デンタルフロス棒の構造。
【請求項６】
前記デンタルフロスと把持部は同じ平面にあるが、同じ直線にはないことを特徴とする請求項５記載の改良式デンタルフロス棒の構造。
【請求項７】
前記把持部の二つの対応する側面上に滑止部を形成することを特徴とする請求項５記載の改良式デンタルフロス棒の構造。
【請求項８】
前記把持部の後端に歯を穿る部を形成し、前記歯を穿る部の上に軟質の材料で作られる凸ブロックを設置することを特徴とする請求項５記載の改良式デンタルフロス棒の構造。
【考案の詳細な説明】
【技術分野】
【０００１】
本考案はデンタルフロス棒の構造に関し、特に主にユーザーが比較的奥の臼歯の歯間を清掃しやすく、且つ更に快適に使用できる改良式デンタルフロス棒の構造に関する。
【背景技術】
【０００２】
目下個人の口腔衛生の習慣について、口腔内にある歯を清掃する方法は、マウスウォッシュを使って漱ぎ、歯磨き粉と歯ブラシを使って直接歯を磨く、或いはデンタルフロス棒、歯間ブラシ、或いはデンタルフロスで歯間にある食べ物のカスを取り除く方法しかない。しかし、虫歯を予防する一番大事なことは、歯間にある食べ物のカスを取り除くことであり、前記の方法の中で、デンタルフロス棒を使用する方法が、もっとも有効的に歯間にある食べ物のカスを取り除くことができる。
【０００３】
一般的なデンタルフロス棒にとって、その本体の一端はコの字型の形態を形成し、コの字型の切欠部にデンタルフロスを固着し、ユーザーの歯間に残る食べ物、カスを取り除くのに用いる。しかし、コの字型の形態のデンタルフロス棒では、比較的奥の歯間を清掃する際、往々にしてデンタルフロス棒の設計により、使用する際に不快に感じるため、使用回数が減るなどを鑑みて、更なる改善が必要であった。
【先行技術文献】
【特許文献】
【０００４】
【特許文献１】実用新案登録第３１１０８６９号公報
【考案の概要】
【考案が解決しようとする課題】
【０００５】
前記公知構造の欠点を解決するため、本考案はデンタルフロス部の両端棒をアーチ型の形状に彎曲することにより、口腔の比較的奥にまで伸び、歯間の清掃をすることができ、且つ口を大きく開ける必要がないため、比較的快適に感じると共に、歯間にある食べ物のカスを清掃する目的に達する改良式デンタルフロス棒の構造を提供することを主な課題とする。
【課題を解決するための手段】
【０００６】
上述の目的を解決するために、本考案は改良式デンタルフロス棒の構造を提供するものであり、主に把持部及び把持部の先端と接続するデンタルフロス部を含む改良式デンタルフロスの構造である。該デンタルフロス部は糸張部、糸張部の両端に形成する両端棒及び両端棒と接続するデンタルフロスを含む。その中両端棒は同じ側をアーチ型に彎曲し、前記把持部と糸張部の間に旋削部を形成することで、把持部の上端の辺線と糸張部の頂面にある中心線が同じ直線状に位置する。
【０００７】
前記デンタルフロスと把持部は同じ平面にあるが、同じ直線にはない。
【０００８】
前記把持部の二つの対応する側面上に滑止部を形成する。
【０００９】
前記把持部の後端に歯を穿る部を形成し、前記歯を穿る部の上に軟質の材料で作られる凸ブロックを設置する。
【００１０】
主に把持部及び把持部の先端と接続するデンタルフロス部を含む改良式デンタルフロスの構造である。該デンタルフロス部は糸張部、糸張部の両端に形成する両端棒及び両端棒と接続するデンタルフロスを含む。その中両端棒は同じ側をアーチ型に彎曲し、前記把持部と糸張部の間に旋削部を形成することで、前記把持部の上端の辺線と糸張部の頂面にある中心線を延伸して一つの角度を呈する。前記デンタルフロスと把持部は同じ平面にあるが、同じ直線にはない。
【００１１】
前記把持部の二つの対応する側面上に滑止部を形成する。
【００１２】
前記把持部の後端に歯を穿る部を形成し、前記歯を穿る部の上に軟質の材料で作られる凸ブロックを設置する。
【００１３】
前記方案を採用し、本考案の改良式デンタルフロス棒の構造に下記の効果を具有する。
【００１４】
１、本考案の改良式デンタルフロス棒の構造では、両端棒が同じ側にアーチ型の形態に彎曲することで、ユーザーが口腔の比較的奥の歯間を清掃する際に、良い快適さを得ることができると同時に、虫歯を予防する効果に達する。
【００１５】
２、本考案の改良式デンタルフロス棒の構造では、把持部の二つの対応する側面上に形成する滑止部により、使用する際に持ちやすくさせる。該把持部の後端に形成する歯を穿る部は同時に別種類の歯間を清掃する道具になることができ、確実に虫歯を予防する効果に達する。
【００１６】
３、本考案の改良式デンタルフロス棒の構造では、該歯を穿る部は軟質材料で作られ、且つ歯を穿る部に凸ブロックを設置する。よって、確実に歯間にある食べ物のカスを清掃できると同時に歯を傷つけにくい。
【考案の効果】
【００１７】
本考案はデンタルフロス部の両端棒をアーチ型の形状に彎曲することにより、口腔の比較的奥にまで伸び、歯間の清掃をすることができ、且つ口を大きく開ける必要がないため、比較的快適に感じると共に、歯間にある食べ物のカスを清掃する目的に達する。
【図面の簡単な説明】
【００１８】
【図１】本考案の改良式デンタルフロス棒の構造の立体略図一である。
【図２】本考案の改良式デンタルフロス棒の構造のＡ−Ａ断面位置を示す略図である。
【図３】図２のＡ―Ａ部分の断面略図である。
【図４】本考案の改良式デンタルフロス棒の構造の立体略図二である。
【図５】本考案の改良式デンタルフロス棒の構造の立体略図三である。
【図６】本考案の改良式デンタルフロス棒の構造の実施略図である。
【考案を実施するための形態】
【００１９】
以下、本考案の構造と特徴および効果を、最良実施例と図面を参照しながら詳細に説明する。
【実施例】
【００２０】
図１から図３に示すように、本考案の改良式デンタルフロス棒の構造は、主に把持部１及び把持部１の先端と接続するデンタルフロス部２を含む。デンタルフロス部２は
糸張部２０、糸張部２０の両端に形成する両端棒２１及び両端棒２１と接続するデンタルフロスを含む。その中両端棒２１は同じ側をアーチ型に彎曲し、把持部１と糸張部２０の間に旋削部３を形成することで、把持部１の上端の辺線１０と糸張部２０の頂面にある中心線２３が同じ直線状に位置する。
【００２１】
前記部品のほか、本発明の把持部１の二つの対応する側面上に滑止部１１を形成し、且つ把持部１の後端に歯を穿る部１２を形成する。歯を穿る部１２の上に軟質の材料で作られる凸ブロック１２０を設置し、よって使用する際に比較的歯を傷つけない。図４に示すように、本考案の両端棒２１は主に同じ側にアーチ型に彎曲する形態を呈し、よって両端棒２１は別方向に彎曲してアーチ型を呈して別の形態を形成することができる。更にデンタルフロス２２と把持部１は同じ平面にあるが、同じ直線にはない。
【００２２】
図５に示すように、本考案のデンタルフロス棒の構造は別の一つの形態に形成することができる。主に両端棒２１は同じ側をアーチ型に彎曲し、把持部１と糸張部２０の間に旋削部３を形成することで、把持部１の上端の辺線１０と糸張部２０の頂面にある中心線２３を延伸して一つの角度θを呈することで、本考案は使用する際に、呈する角度により便利に取る或いは使用することができる。
【００２３】
図６に示すように、本考案を使用する際には、主に両端棒２１が同じ側にアーチ型の形態に彎曲することで、ユーザーが口腔の比較的奥の歯間を清掃する際に、良い快適さを得ることができると同時に、歯間を清掃し、虫歯を予防する効果に達する。
【００２４】
更に該把持部１の二つの対応する側面上に形成する滑止部１１により、使用する際に持ちやすくさせる。該把持部１の後端に形成する歯を穿る部１２は同時に別種類の歯間を清掃する道具になることができ、確実に虫歯を予防する効果に達する。
【００２５】
上述は本考案の最良実施例であり、本考案の範囲を制限するものではない。
【符号の説明】
【００２６】
１  把持部
１０  辺線
１１  滑止部
１２  歯を穿る部
１２０  凸ブロック
２  デンタルフロス部
２０  糸張部
２１  両端棒
２２  デンタルフロス
２３  中心線
３  旋削部
【図１】
0003206041.tif 000003
【図２】
0003206041.tif 000004
【図３】
0003206041.tif 000005
【図４】
0003206041.tif 000006
【図５】
0003206041.tif 000007
【図６】
0003206041.tif 000008